(57)【要約】      （修正有）【課題】構造が強固で、安全なフレキシブル配線板のコネクタを提供する。【解決手段】コネクタは殻体、端子、加圧部材を含み、端子が相互に同じ方向に延伸され、かつ並列して設置された固定アームと可動アームを備える。そのうち、可動アームは一端に押圧部を備え、他端に被圧部を備える。固定アームは殼体により固定され、加圧部材が回転軸を備え、回転軸に被圧部を押圧できる押さえ部が一方向に向かって形成される。【選択図】図３
0003158348.tif 000002
【実用新案登録請求の範囲】
【請求項１】
コネクタであって、殼体、端子、加圧部材を含み、前記端子は相互に同じ方向に延伸され、かつ並列して設置された固定アームと可動アームを備え、そのうち、前記可動アームは一端に押圧部を備え、他端に被圧部を備えており、前記固定アームは前記殼体により固定され、前記加圧部材が回転軸を備え、前記回転軸に前記被圧部を押圧できる押さえ部が一方向に向かって形成され、前記加圧部材が移動の操作を受けてあらかじめ定められた方向に移動されると、前記加圧部材の押さえ部が前記可動アームの前記被圧部を押圧し、前記可動アームを梃子のように角変位させて押圧状態を形成することができることを特徴とする、コネクタ。
【請求項２】
前記固定アームの一側に前記回転軸を収容可能な凹陥部を形成したことを特徴とする、請求項１に記載のコネクタ。
【請求項３】
前記可動アームと前記固定アームが連接部により連接されて１つの部材を形成することを特徴とする、請求項１に記載のコネクタ。
【請求項４】
前記連接部が傾斜状に設置可能であることを特徴とする、請求項３に記載のコネクタ。
【考案の詳細な説明】
【技術分野】
【０００１】
本考案はフレキシブル回路板の電気的接続に応用するコネクタであって、特に、特に構造が強固で安全なコネクタに関する。
【背景技術】
【０００２】
フレキシブル回路板に電気的接続の効果を達させるため、通常このようなフレキシブル回路板はコネクタに接続されるが、前記コネクタは殻体、端子、加圧部材を含み、前記コネクタの加圧部材に作用させるとき、前記加圧部材が前記端子に作用して、前記端子を前記フレキシブル回路板に押圧させることができる。
【０００３】
図１に従来のコネクタの実施を示す断面図を示す。従来のコネクタ１は殻体１１、端子１２、加圧部材１３を含み、前記端子１２が同じ方向に延伸されて並べて設けられた固定アーム１２１と可動アーム１２２を含み、前記固定アーム１２１は前記殻体１１上に固定され、前記可動アーム１２２は一端に押圧部１２３を備え、他端に被圧部１２４を備えており、且つ前記固定アーム１２１と前記可動アーム１２２は連接部１２５を利用して連接されて一体を成し、また前記加圧部材１３はカム１３１を備えている。
【０００４】
上述の構造により、前記加圧部材１３に施力して前記加圧部材１３をあらかじめ定められた一方向に向かって移動させると、前記加圧部材１３のカム１３１が上に向かって前記被圧部１２４を押し動かし、且つ前記可動アーム１２２が前記連接部１２５を支点として角変位し、前記加圧部材１３のカム１３１を前記可動アーム１２２の被圧部１２４に当接させ、押圧部１２３を下方向に押圧させることができる。
【０００５】
しかしながら、上述のコネクタ１は使用時に次のような問題と欠点があり、改善が必要である。前記加圧部材１３のカム１３１は押圧の前に前記端子１２の被圧部１２４との間に空隙を有し、誤動作で前記加圧部材１３に対して反対方向に力が加わると、前記加圧部材１３が脱落したり、さらには破損したりすることがある。
【０００６】
このため、上述の従来の問題と欠点をいかに解決するかが、本考案の考案者と関連産業に従事する関連メーカーが改善を研究する方向性である。
【考案の概要】
【考案が解決しようとする課題】
【０００７】
本考案の考案者は上述の欠点に鑑みて、関連資料を収集し、多方面の評価と考慮を経て、関連産業において蓄積した長年の経験に基づき、試作と修正を重ね、ついにこの構造が強固で、安全なコネクタの実用新案の開発に至ったものである。
【０００８】
本考案の主な目的は、構造が強固で、安全なフレキシブル配線板のコネクタを提供することにある。
【課題を解決するための手段】
【０００９】
上述の目的を達するため、本考案のコネクタは、殻体、端子、加圧部材を含み、前記端子は相互に同じ方向に延伸され、かつ並列して設置された固定アームと可動アームを備え、前記可動アームは一端に押圧部を備え、他端に被圧部を備えており、前記固定アームは前記殻体により固定され、前記加圧部材は回転軸を備え、前記回転軸は前記被圧部を押圧できる押さえ部が一方向に向かって形成される。
【００１０】
そのうち、本考案のコネクタの前記加圧部材は、移動の操作を受けて開放状態と押圧状態を形成し、前記加圧部材が開放状態にあるとき、前記端子の被圧部と前記押さえ部が接触した態様を成し、また前記加圧部材が移動の操作を受けてあらかじめ定めた方向に移動されると、前記加圧部材の押さえ部が前記可動アームの被圧部を押圧し、前記可動アームを梃子のように角変位させて押圧状態を形成することができる。
【００１１】
前記加圧部材の回転軸に前記被圧部を押さえることができる押さえ部が一方向に向かって形成されているため、前記加圧部材が開放状態にあるとき、前記押さえ部を前記加圧部材の被圧部に接触させることにより、前記加圧部材の移動範囲を規制することができ、これにより前記加圧部材の不適切な反対方向の操作による前記加圧部材の脱落を回避することができる。本考案のコネクタの構造を利用し、前記加圧部材に対して不適切な反対方向の操作が行われたとき、前記回転軸が力を受けて生じる回動する力が、被圧部に押さえられて相殺され、前記加圧部材の不適切な操作による脱落を効果的に回避することができる。
【考案の効果】
【００１２】
全部の図に示すように、本考案の使用時には、従来の技術と比較して、次のような利点が確実に存在する。本考案のコネクタ２の回転軸５１に前記被圧部４２２を押圧できる押さえ部５２が一方向に向かって形成されており、前記押さえ部５２の設置によって、前記加圧部材５が開放状態にあるとき、前記押さえ部５２を利用して前記端子４の被圧部４２２に接触させて押さえ、それにより前記加圧部材５の移動範囲を規制することができ、反対方向の力で前記加圧部材５が不適切に操作されると、端子４の被圧部４２２により反対方向の力を相殺し、前記加圧部材５の不適切な操作による脱落や破損を回避することができる。
【図面の簡単な説明】
【００１３】
【図１】従来のコネクタの実施を示す断面図である。
【図２】本考案の最良の実施例の立体図である。
【図３】本考案の最良の実施例の断面図である。
【図４】本考案の最良の実施例の実施を示す断面図１である。
【図５】本考案の最良の実施例の実施を示す断面図２である。
【考案を実施するための形態】
【００１４】
上述の目的及び効果を達するため、本考案が採用する技術手段及び構造について、図面を参照し、本考案の最良の実施例に基づいてその特徴と機能を詳細に説明し、完全な理解を促す。
【００１５】
図２と図３に本考案の最良の実施例の立体図と断面図をそれぞれ示す。これらの図からはっきりと分かるように、本考案コネクタ２は、殻体３、端子４、加圧部材５を含む。
【００１６】
前記端子４は相互に同じ方向に延伸され、かつ並列して設置された固定アーム４１と可動アーム４２を備え、そのうち、前記可動アーム４２は一端に押圧部４２１を備え、他端に被圧部４２２を備えており、前記固定アーム４１は前記殻体３により固定され、前記固定アーム４１の一側に回転軸５１を収容できる凹陥部４１１が形成され、前記可動アーム４２と前記固定アーム４１は連接部４３により１つの部材を形成し、前記連接部４３は傾斜状に設置することができる。
【００１７】
前記加圧部材５は回転軸５１を備え、前記回転軸５１は前記被圧部４２２を押圧できる押さえ部５２が一方向に向かって形成される。
【００１８】
前記加圧部材５は移動の操作を受けて開放状態と押圧状態を形成し、前記加圧部材５が開放状態にあるとき、前記端子４の被圧部４２２と前記押さえ部５２が接触した態様を成し、前記加圧部材５が移動の操作を受けてあらかじめ定めた方向に移動されると、前記加圧部材５の押さえ部５２が前記可動アーム４２の被圧部４２２を押圧し、前記可動アーム４２を梃子のように角変位させて押圧状態を形成することができる。
【００１９】
上述の構造、組み立て設計に基づき、本考案の使用作動状況を以下で説明する。同時に図４、図５に本考案の最良の実施例の実施を示す概略図１と２を示す。これらの図からはっきりと分かるように、本考案のコネクタ２は移動の操作を受けて開放状態と押圧状態を形成することができ、本考案が開放状態にあるとき、本考案のコネクタ２の回転軸５１に前記被圧部４２２を押圧できる前記押さえ部５２が一方向に向かって形成されているため、前記押さえ部５２が前記端子４の被圧部４２２と接触した態様を成し、これにより、前記加圧部材５が反対方向の不適切な操作を受けると、前記回転軸５１が力を受けて生じる回動の力が被圧部４２２に押さえられて相殺され、加圧部材５の不適切な操作による脱落や破損を効果的に回避することができる。
【００２０】
前記加圧部材５が移動の操作を受けてあらかじめ定めた方向に移動されると、前記加圧部材５の押さえ部５２が前記可動アーム４２の被圧部４２２を押圧し、前記可動アーム４２を梃子のように角変位させて押圧状態を形成することができ、これによりフレキシブル配線板等の電子素子を押さえることができる。
【００２１】
以上の説明は本考案の最良の実施例であり、本考案の特許範囲を限定することはなく、本考案の明細書及び図面の内容を運用した簡易な修飾及び同等効果を持つ構造変化はすべて本考案の特許範囲内に含まれる。
上述をまとめると、本考案のコネクタは使用時に確実にその効果と目的を達することができるため、本考案は実用性に優れた創作であり、実用新案登録出願の要件を満たしているため、法に基づきここに出願を提出するものである。
【符号の説明】
【００２２】
１        コネクタ
１１      殻体
１２      端子
１２１    固定アーム
１２２    可動アーム
１２３    押圧部
１２４    被圧部
１２５    連接部
１３      加圧部材
１３１    カム
２        コネクタ
３        殻体
４        端子
４１      固定アーム
４１１    凹陥部
４２      可動アーム
４２１    押圧部
４２２    被圧部
４３      連接部
５        加圧部材
５１      回転軸
５２      押さえ部
【図１】
0003158348.tif 000003
【図２】
0003158348.tif 000004
【図３】
0003158348.tif 000005
【図４】
0003158348.tif 000006
【図５】
0003158348.tif 000007